(57)【要約】【課題】パチスロ遊技機を島に固定する際の前後方向の位置決めを簡単に行えるようにする位置決め装置を提供する。【解決手段】位置決め装置２００は、設置台ユニットのパチスロ遊技機が載置される下板の後面に取付けられる本体２１０を備える。本体２１０の上側板２１１の上側の面２１１Ａは、下板の上面と面一とされる。上側板２１１には開口２１１Ｂが設けられており、ここから前後動自在で自由に位置決めできる位置決め部材２３１が上方に覗いている。位置決め部材２３１には、パチスロ遊技機の背面を当接させる当接面を前向きに有する当接部材２３２が取付けられている。【選択図】図２
2015173925.tif 000002
【特許請求の範囲】
【請求項１】
パチスロ遊技機の下面がその上に載置される水平な下板を有するパチスロ遊技機が固定される設置台ユニットにパチスロ遊技機を取付ける際に用いられるものであり、パチスロ遊技機の前記下板に対する前後方向の位置決めを行うための、パチスロ遊技機の位置決め装置であって、
前記下板の後方で且つ前記下板の上面を後方に延長した仮想の面である仮想面以下の高さに位置する本体と、
前記本体に対して前後に移動可能とされるとともに、前記本体に対して任意の前後方向の位置で位置決め固定できるようにされている位置決め部材と、
を備えており、
前記位置決め部材は、前記下板の上に載置されたパチスロ遊技機の背面と当接させることのできる、前記仮想面よりも上に位置する当接面を有する、
位置決め装置。
【請求項２】
前記本体は、その使用時に、前記仮想面と略一致させることのできる水平な面であるテーブル面を有するテーブルを有している、
請求項１記載の位置決め装置。
【請求項３】
前記テーブルには、前後方向に伸びる溝が切られており、
前記位置決め部材は、前記溝の中を前後に移動するようになっている、
請求項２記載の位置決め装置。
【請求項４】
前記位置決め部材を複数備える、
請求項１記載の位置決め装置。
【請求項５】
前記本体には、前記当接面の前後方向における位置を目視で確認することのできる目盛が設けられている、
請求項１記載の位置決め装置。
【請求項６】
前記本体には、前記当接面の前後方向における位置を目視で確認することのできる目盛が設けられており、前記目盛は、前記テーブル面に設けられている、
請求項２記載の位置決め装置。
【請求項７】
前記本体は、前記下板の後面に当接させられるものであり、ネジ孔が穿たれた板である固定板を備えており、
前記本体は、前記固定板を前記下板の後面に当接させ、且つ前記ネジ孔を貫通させたネジを前記下板に前向きに打込むことにより、前記下板に固定されるようになっている、
請求項１記載の位置決め装置。
【請求項８】
前記位置決め部材は、前記位置決め部材に対して後方に力がかかったときに、本体と位置決め部材の結合がより強固になるようになっている、
請求項１記載の位置決め装置。
【請求項９】
前記本体は、前後に伸びる長尺部材を備えているとともに、前記位置決め部材は、前記位置決め部材が後方に移動しようとする程前記長尺部材と強くかしめられるかしめ部材とを備えている、
請求項８記載の位置決め装置。
【発明の詳細な説明】
【技術分野】
【０００１】
本発明は、パチスロ遊技機（本願では、これを単に「遊技機」という場合がある。）を、例えば、パチスロ場である一般店舗に設置されるものであり、パチスロ遊技機を設置するための構造物として一般的な島として具現化される、遊技機を固定するための設備である、設置台ユニットに取付ける際に用いられる、パチスロ遊技機の位置決め装置に関する。
【背景技術】
【０００２】
パチスロ遊技機が一般店舗で使用される場合、パチスロ遊技機は一般に、設置台ユニットに取付けられる。一般的には島と呼ばれるものである設置台ユニット（以下、簡単のため、これが島であることにして話を進める。）には、並列に多数のパチスロ遊技機が取付けられる。
【０００３】
パチスロ遊技機の島への取付けは従来、以下のように行われている。
島は、遊技機をその上に載置する事実上水平な下板と、遊技機の上面の直ぐ上に位置する事実上水平な上板とを備えている。パチスロ遊技機は、下板の上に載置され、下板にその下面や或いは側面を、例えば釘を用いて固定されるとともに、上板にその上面やその側面を、例えば釘を用いて固定されることにより、島に固定される。
【発明の概要】
【発明が解決しようとする課題】
【０００４】
釘を用いて遊技機の島への固定を行うのは面倒である。そして、この作業を更に面倒にしているものに、遊技機の位置合わせの問題がある。
上述のようにパチスロ遊技機は島に横並びにして取付けられる。横並びにして取付けられる複数のパチスロ遊技機は、例えば見栄えの問題から、それらの前面の位置を一致させる必要がある。パチスロ遊技機を島に固定する場合には上述のように下板の上にパチスロ遊技機を載置するが、実際には、一旦下板の前側に載せたパチスロ遊技機を後方に押し込んでパチスロ遊技機の前後方向の位置を位置決めしている。島の下板の前後方向の長さは、パチスロ遊技機の前後方向の長さよりも短い。したがって、下板に載置されたパチスロ遊技機がその位置決めを適当に行われた状態では、パチスロ遊技機の背面は下板の後方に食み出た状態となる。そのような状態になるまで、パチスロ遊技機は下板に載置された状態で後方に向かって押される。そのようにして位置決めされた後に、遊技機は島に固定されるのである。
位置決めを行うとき、上述したように遊技機の背面は下板から食み出でる。下板の上にも、他の場所にも、これと言った目印も存在しないので、上述のパチスロ遊技機の押し込みを行う場合には、押し込みを行うに先立って、或いは押し込みを行いつつ、作業者は一々下板とパチスロ遊技機の関係を採寸し、パチスロ遊技機の前後方向の位置を調整している。
【０００５】
しかしながら、パチスロ遊技機は、一定の期間毎に入れ替えられるのが通常であるから、その島への固定、島からの取外しの都度、パススロ遊技機の位置合わせの手間、コストが嵩むのは由々しき問題である。
【０００６】
本願は、パチスロ遊技機を島のような設置台ユニットに取付ける際における設置台ユニットに対する位置合わせを簡単に、低コストでできるようにするための技術を提供することをその課題とする。
【課題を解決するための手段】
【０００７】
本願発明者は、上述の課題を解決するために、以下の発明を提案する。
本願発明は、パチスロ遊技機の下面がその上に載置される水平な下板を有するパチスロ遊技機が固定される設置台ユニットにパチスロ遊技機を取付ける際に用いられるものであり、パチスロ遊技機の前記下板に対する前後方向の位置決めを行うための、パチスロ遊技機の位置決め装置（以下、「位置決め装置」という場合がある。）である。なお、本願においては、前後の概念は、パチスロ遊技機の前後に倣うものとする。
そして、この位置決め装置は、前記下板の後方で且つ前記下板の上面を延長した仮想の面である仮想面以下の高さに位置する本体と、前記本体に対して前後に移動可能とされるとともに、前記本体に対して任意の前後方向の位置で位置決め固定できるようにされている位置決め部材と、を備えており、前記位置決め部材は、前記下板の上に載置されたパチスロ遊技機の背面と当接させることのできる、前記仮想面よりも上に位置する当接面を有する。
上述のように下板に載せたパチスロ遊技機が適切に位置決めされた状態では、パチスロ遊技機の背面は下板の後縁から後方に食み出た状態となる。それだけに、パチスロ遊技機の背面側には位置決めを行うための目印になるものを設けるのは難しい。他方、パチスロ遊技機の前方の例えば下板上にそのような目印を設けるのは、そのような部分はパチスロ遊技機の使用時に遊技者の目に触れるからそれはそれで難しい。
そこで、本願発明では、そのような目印を、下板の上面を後方に延長した仮想面の上側の本来であれば何もない空間に設けることとした。それが、位置決め部材の当接面である。本願発明では、この当接面は単なる目印から更に一歩進んだものとなっている。予め、位置決め部材の前後の位置が適切に定められているのであれば、パチスロ遊技機の前後方向の位置決めをしようとする作業者は、下板の上の、適切に位置決めされた場合よりも前方寄りに載置されたパチスロ遊技機を後方に押し込んでいき、遊技機の背面が位置決め部材の当接面に当接したことにより、遊技機の前後方向での位置決めが終了したことを把握することができる。しかも、本願による位置決め装置は、繰り返し使うことができるから、パチスロ遊技機の入れ替えが行われる場合においては、新たな遊技機の前後方向の位置決めにも用いることができる。パチスロ遊技機の前後方向の位置決めを適切に行うための当接面の位置が、入れ替えの前後におけるパチスロ遊技機で共通であれば当接面の位置の変更は不要である。また、当接面の前後方向の位置の変更が必要な場合であっても、パチスロ遊技機の前後方向の位置決めを採寸しながら、一台一台繰り返していくのに比べて、当接面が適当な位置に来るように、位置決め部材の位置を前後方向に移動させる方が余程楽である。これにより、パチスロ遊技機の下板に対する前後方向の位置決めについての手間とコストを大幅に軽減できることになる。
なお、本願の位置決め装置の本体が仮想面以下の高さに存在することとしたのは、下板の後方にその背面が食み出でるパチスロ遊技機と本体とが干渉することを防止するためである。
【０００８】
上述のように、本体は、下板の後方であって、仮想面以下の高さに存在する。そのようになっていれば、本体の構成には特に制限はない。なお、本体は下板の後方であって、仮想面以下の高さに存在するのであれば、下板の下にその一部が存在していても構わない。
本願発明の位置決め装置における本体は、その使用時に、前記仮想面と略一致させることのできる水平な面であるテーブル面を有するテーブルを有していても良い。このようなテーブルを有する位置決め装置であれば、パチスロ遊技機を後方に押すときに、位置決め部材の当接面まで、パチスロ遊技機の下面をテーブル面でスムーズに案内できる。
位置決め装置がテーブルを有する場合、前記テーブルには、前後方向に伸びる溝が切られており、前記位置決め部材は、前記溝の中を前後に移動するようになっていても良い。このようにすれば、テーブルと位置決め部材が干渉することがない。
また、本体の下板への固定方法は基本的には自由である。
ただし、その固定の仕方によっては、下板の上で後方に移動するパチスロ遊技機との干渉が生じるおそれがある。そのようなことが生じないようにして、本体を下板に固定するには、例えば、以下のような構成を採用すれば良い。前記本体は、前記下板の後面に当接させられるものであり、ネジ孔が穿たれた板である固定板を備えており、前記本体は、前記固定板を前記下板の後面に当接させ、且つ前記ネジ孔を貫通させたネジを前記下板に前向きに打込むことにより、前記下板に固定されるようになっている、というのがその構成である。
【０００９】
本願発明の位置決め装置における位置決め部材は、単数でも良いが、複数であっても良い。複数の位置決め部材があれば、遊技機の背面を複数の当接面で位置決めすることができるため、遊技機の背面が平面視した場合に斜めになる（「斜め」とは、例えば、平面視した場合に、下板の前側の縁と遊技機の背面とが平行とならないことを意味する。以下、同じ。）ことを防止できる。複数の位置決め部材は、互いに連動して一律に（例えば、各位置決め部材の当接面のそれぞれが同一面上に位置するようにして）前後動するようになっていても良いが、そのそれぞれが独立して個別に前後動するようになっていても良い。前者の構成を採用すれば、位置決め部材の位置決めが楽である。後者の構成を採用すれば、例えば、下板の後側の面が平面視した場合に斜めになっている等したとしても、平面視した場合の遊技機の背面を真っ直ぐにすることができる。
もっとも、本願発明の位置決め装置における位置決め部材が単数だったとしても、その当接面の幅を大きくするとか、位置決め部材が単数の位置決め装置を複数使用することにより、遊技機の背面が平面視した場合に斜めにならないようにすることが可能である。
【００１０】
前記本体には、前記当接面の前後方向における位置を目視で確認することのできる目盛が設けられていても良い。これにより、当接面の位置を簡単に把握できるようになる。
例えば、上述のように、パチスロ遊技機の前後方向の位置決めを適切に行うための当接面の位置が、入れ替えの前後におけるパチスロ遊技機で共通でない場合には、入れ替え後のパチスロ遊技機に対して適当な位置に当接面が来るように位置決め部材の位置を前後方向に移動させることが必要となる。ただし、パチスロ遊技機の入れ替えが行われる際に、その入れ替え前の遊技機の外形がすべて同じで、また入れ替え後の遊技機の外形がすべて同じであれば、すべての位置決め装置において、同じ量だけ、位置決め部材を前後に移動させれば良いということになる。目盛があれば、そのような操作をすべての位置決め装置に対して一斉に行うのは容易である。そしてこの事情は、位置決め装置を初めて使う場合にも妥当する。
前記本体には、前記当接面の前後方向における位置を目視で確認することのできる目盛が設けられていても良いのは上述の通りであるが、位置決め装置がテーブルを備えるのであれば、前記目盛は、前記テーブル面に設けられていても良い。この場合であれば、位置決め部材の前後方向における位置の確認がより容易になる。目盛は、テーブルに上述の如き溝が設けられているのであれば、その溝に沿って設けられていても良い。
【００１１】
本願発明の位置決め装置は、上述のように、基本的には、遊技機の入れ替えの場合も含めて、遊技機を設置台ユニットに固定するに先立って使用されるのがその主な用法である。
ただし、本願の位置決め装置は、設置台ユニットに固定された状態の遊技機が、後方に移動しないようにするための、本来の位置から使用されている遊技機が移動しないようにするための位置決め（或いは遊技機の位置を維持する）装置として用いることも可能である。使用中の遊技機に対して遊技者が脚を載せるなどして、後方への力を加え遊技機が後方に移動することがままある。逆に遊技機に前向きの力が加えられることはまずないので、このような遊技機の後方への移動を防ぐことに対する需要は明確に存在する。そして、このような需要には、従来からの釘による固定だけでは十分には応えにくい。
このような需要に対応する場合には、位置決め装置の前記位置決め部材は、前記位置決め部材に対して後方に力がかかったときに、本体と位置決め部材の結合がより強固になるようになっているのが好ましい。それにより、位置決め機構が後方にずれることによる、遊技機の後方への移動を防止できるようになる。例えば、本体が、前記本体は、前後に伸びる例えばボルトである長尺部材を備えているとともに、前記位置決め部材は、前記位置決め部材が後方に移動しようとする程前記長尺部材と強くかしめられ、ナット、或いはナットと同様に機能する板であるるかしめ部材とを備えていれば、上述の如き、位置決め部材に対して後方に力がかかったときに、本体と位置決め部材の結合がより強固になるような構造を実現できる。かしめ部材は、例えば、長尺部材に貫通されている。
【図面の簡単な説明】
【００１２】
【図１】本実施形態による位置決め装置が取付けられる設置台ユニットの構成を示す側面図。
【図２】第１実施形態による位置決め装置をやや左よりの後上方から見た状態を示す斜視図。
【図３】図２に示した位置決め装置の平面図。
【図４】図２に示した位置決め装置の底面図。
【図５】図２に示した位置決め装置の背面図。
【図６】図２に示した位置決め装置の一部透視図を含む側面図。
【図７】図２に示した位置決め装置の一部透視図を含む側面図。
【図８】本実施形態による位置決め装置の分解斜視図。
【図９】第２実施形態による位置決め装置をやや左よりの後上方から見た状態を示す斜視図。
【図１０】図９に示した位置決め装置の平面図。
【図１１】図９に示した位置決め装置の分解斜視図。
【図１２】第３実施形態による位置決め装置をやや左よりの後上方から見た状態を示す斜視図。
【図１３】図１２に示した位置決め装置の平面図。
【図１４】図１２に示した位置決め装置の分解斜視図。
【発明を実施するための形態】
【００１３】
以下に、本願発明を実施するための第１〜第３実施形態を、図面を参照しつつ説明する。なお、各実施形態で共通する対象には共通する符号を付すものとし、共通する説明は必要に応じて省略するものとする。
【００１４】
≪第１実施形態≫
まず、第１実施形態のパチスロ遊技機が取付けられる設置台ユニットについて説明する。設置台ユニットは、パチスロ遊技機が一台だけ取付けられるものであっても良いが、この実施形態の設置台ユニットは、複数台のパチスロ遊技機が横並びにして取付けられるものであり、一般店舗に普通に配置されている、島と呼ばれる構造物である。
島である設置台ユニット５００の構造の一部の一例を図１の側面図に示す。なお、この設置台ユニット５００は、その片面のみにパチスロ遊技機６００が取付けられるタイプのものであるが、設置台ユニット５００は、その両面に背中合わせになるようにパチスロ遊技機６００が取付けられるようなものであっても構わない。
【００１５】
設置台ユニット５００は、これには限られないが、骨材で組まれた土台部５１０、土台部５１０の上に、隣接するもの同士の間に概ねパチスロ遊技機の横幅に対応する間隔を空けて立てられた複数本の柱（図示を省略）、柱の上に設けられた頭部を備えている。
柱の下端付近には、下板５５０が固定されている。下板５５０はその上にパチスロ遊技機６００が載置される事実上水平な板である。
パチスロ遊技機６００は下板５５０の上に載置され、適切に位置決めされた上で設置台ユニット５００に固定されたとき、その前端と下板５５０の前縁が略揃うか、下板５５０の前縁からその前端が僅かに食み出でるようにされる。また、パチスロ遊技機６００は、下板５５０の上に載置され適切に位置決めされた上で設置台ユニット５００に固定されたとき、その後端が下板５５０の後縁から食み出でるようにされる。下板５５０の大きさと、設置台ユニット５００に対する取付け位置は、下板５５０にパチスロ遊技機６００を載置したときに、下板５５０とパチスロ遊技機６００の関係を上述の如くに調整できるように設計されている。
【００１６】
下板５５０の上方には、上板５６０が固定されている。上板５６０はパチスロ遊技機６００が下板５５０に載置されたときに、パチスロ遊技機６００の直上に位置する、事実上水平な板である。
パチスロ遊技機６００は下板５５０の上に載置され、適切に位置決めして設置台ユニット５００に固定されたとき、その前端が上板５６０の前縁から食み出、その後端が上板５６０の後縁から食み出でるようにされている。上板５６０の大きさと、設置台ユニット５００に対する取付け位置は、下板５５０にパチスロ遊技機６００を載置し、適切に位置決めして設置台ユニット５００に固定したときに、上板５６０とパチスロ遊技機６００の関係を上述の如くに調整できるように設計されている。
【００１７】
次に、パチスロ遊技機６００を設置台ユニット５００に対して、或いは設置台ユニット５００の下板５５０に対して、その前後方向の位置を位置決めするために用いられる、パチスロ遊技機の位置決め装置２００について説明する。
【００１８】
位置決め装置２００は、図２の後方の左上方向から見た状態を示す斜視図、図３の平面図、図４の底面図、図５の背面図、図６、図７の側面図、図８の分解図に示されたように構成されている。
【００１９】
位置決め装置２００は、本体２１０を備えている。本体２１０は、薄く形成された略直方体形状であり、図４に示したようにその下方が開放されている。
本体２１０を構成する上側の板である上側板２１１が、本願発明でいうテーブルに相当する。また、上側板２１１の上側の面２１１Ａが本願発明でいうテーブル面に相当する。
上側板２１１の幅方向の中程には、略矩形形状の開口２１１Ｂが設けられている。開口２１１Ｂは、上側板２１１の前後方向の略全長に略わたるようになっている。開口２１１Ｂは、本願発明でいう溝に相当する。上側板２１１の幅方向の両端には、２つの細い矩形の開口である細開口２１１Ｃが設けられている。細開口２１１Ｃは、その長手方向の長さが上側板２１１の前後方向の略全長にわたるようになっている。
上側板２１１の上側の面２１１Ａの開口２１１Ｂの隣には、前後方向に伸びる目盛２１１Ｄが設けられている。
【００２０】
本体２１０の前側の板が前側板２１２、本体２１０の後側の板が後側板２１３である。前側板２１２、後側板２１３ともに細長い矩形形状をしている。
前側板２１２は、その長手方向（幅方向）の長さが、上側板２１１の幅方向の長さを超えており、その幅方向の両端が上側板２１１の両端から食み出した固定部２１２Ａとなっている。前側板２１２の固定部２１２Ａにはネジ孔２１２Ｂが設けられている。前側板２１２は、固定部２１２Ａまで含めたその前面全体を下板５５０の後面に当接させ、ネジ孔２１２Ｂを貫通させたネジを、水平方向で前向きに下板５５０に打込むことにより、下板５５０に対して固定できるようになっている。
前側板２１２は上述のように、本体２１０を下板５５０に対して固定するのに使われる。それに支障がないようにするには、前側板２１２の高さは、下板５５０の厚さとして想定されるもっとも薄い厚さよりも小さくしておくのが好ましく、この実施形態ではそうされている。
前側板２１２と後側板２１３の端部付近、言い換えれば、上側板２１１に設けられた細開口２１１Ｃの付近には、孔２１２Ｃ、孔２１３Ａが穿たれている。孔２１２Ｃ、２１３Ａは、ガイド部材２２０を本体２１０に固定するためのものである。ガイド部材２２０は、断面円形の棒状体であるガイド棒２２１と、ガイド棒２２１の両端に設けられた矩形の固定用板２２２とを備えている。そして固定用板２２２には内周面にネジ切りのされた孔２２２Ａが穿たれている。孔２１２Ｃと、孔２１３Ａはともに、固定用板２２２に設けられた孔２２２Ａと対応する位置にある。ネジ２２３を、孔２１２Ｃと孔２２２Ａをまとめて貫通させて孔２２２Ａに螺合させ、また孔２１３Ａと孔２２２Ａをまとめて貫通させて孔２２２Ａに螺合させることにより、ガイド部材２２０は本体２１０に固定される。このとき、両ガイド部材２２０のガイド棒２２１は、細開口２１１Ｃの直下に位置することになる（例えば、図２参照）。
後側板２１３の幅方向の中央の下縁には、また、下に向かって開くＵ字型の切欠きである第１切欠き２１３Ｂが設けられている。
【００２１】
本体２１０には、また、位置決め機構２３０が取付けられている。位置決め機構２３０は、大雑把に言うと、位置決め部材２３１と、当接部材２３２と、ボルト２３３とからなる（図６〜８）。
ボルト２３３は、上に向かって開くＵ字型の切欠きである第２切欠き２３４Ａを有する支持板２３４で、その頭部２３３Ａ付近を下から支えられるようになっている。支持板２３４には、孔２３４Ｂが穿たれており、ネジ２３４Ｃを用いて、後側板２１３の前側の面に固定されるようになっている。支持板２３４が後側板２１３に固定されると、後側板２１３の第１切欠き２１３Ｂの上端と、支持板２３４の第２切欠き２３４Ａの下端が略円形の孔を作る。ボルト２３３はその孔を貫通した状態で、その頭部２３３Ａを後側板２１３の後側に位置させた状態で、本体２１０に取付けられている。ボルト２３３は、後側板２１２の第１切欠き２１３Ｂの上端と、支持板２３４の第２切欠き２３４Ａの下端が作る上述の孔の中で空回りすることができるようになっている。
また、ボルト２３３の長さは本体２１０の上側板２１１の前後方向の長さと略同じとなっており、その先端は、本体２１０の前側板２１２の後面に至っている。ボルト２３３の先端は、前側板２１２の後面に取付けられた、ボルト２３３の径に対応した穴２３５Ａが穿たれた板２３５の当該穴２３５Ａに挿入されている。それにより、ボルト２３３は、その先端を、空回りできるようにして、前側板２１２に接続された状態となる。
【００２２】
位置決め部材２３１は図６、７の方向から見た場合において、側面視で、略Ｊの字型をしている。その前側の板である前方板２３１Ａはその後方の板である後方板２３１Ｂよりもその高さが倍程度高くなっている。後方板２３１Ｂの上端は前方に向かって水平に曲折されており、そこにはネジ孔２３１Ｂ１が２つ設けられている。ネジ孔２３１Ｂ１は、後述するように、位置決め部材２３１と当接部材２３２を固定するために用いられる。
前方板２３１Ａと、後方板２３１Ｂは、その下端で、矩形の板である底板２３１Ｃで接続されている。底板２３１Ｃの前後方向の中程付近には、底板２３１Ｃの幅方向に伸びる細長い開口である第１スリット２３１Ｃ１が設けられている（図６、７）。また、底板２３１Ｃの前方よりの幅方向の両端部には、前後方向に伸びる細長い開口である第２スリット２３１Ｃ２が設けられている（図６、７、８）。第１スリット２３１Ｃ１と、第２スリット２３１Ｃ２は一連でもよく、この実施形態ではそうされている。
前方板２３１Ａと後方板２３１Ｂはまた、ボルト２３３に貫通されている。それが可能なように、前方板２３１Ａと後方板２３１Ｂには、ボルト２３３の径よりもやや大径な円形の孔２３１Ａ２、及び２３１Ｂ２が穿たれている。これら孔２３１Ａ２、孔２３１Ｂ２の内周面にはいずれもネジ切りがなされていないので、ボルト２３３はこれら孔２３１Ａ２、及び２３１Ｂ２に対して空回りできるようになっている。
【００２３】
位置決め部材２３１の前方板２３１Ａと後方板２３１Ｂの間には、板２３７と、板２３８が配されている。板２３７は、板２３８より長く、その途中で後方に曲折している。板２３７と板２３８はともに、その下端が、底板２３１Ｃに設けられた上述の第１スリット２３１Ｃ１に嵌った状態となっている。板２３７と板２３８はともに、ボルト２３３の径よりも僅かにその径が大きな孔２３７Ａ、２３８Ａが穿たれており、それら孔２３７Ａ、２３８Ａをボルト２３３に貫かれている。板２３７と、板２３８はともに、ボルト２３３に貫かれているから、第１スリット２３１Ｃ１に、図６、図７に示された状態以上に落ち込むことはない。他方、板２３７と、２３８はともに、第１スリット２３１Ｃにその下端が嵌った状態となっているので、それらの下端を中心として、ヒンジ運動の如き運動を行えるようになっている。
板２３８の後側にはバネ２３９が配置されている。バネ２３９は、ボルト２３３に貫通されている。バネ２３９は、圧縮された状態となっている。したがって、バネ２３９は、板２３７と、板２３８を図６、７における右側に押すように常に付勢する。これにより、板２３７、板２３８は、図７に示した立った状態から、図６に示した寝た状態となるような付勢力を、バネ２３９から常に受けることになる。したがって、特に外力が働いていない状態、いわばデフォルトの状態では、板２３７、板２３８は、寝た状態になっている。
【００２４】
板２３７と、板２３８には上述のようにボルト２３３の径よりも僅かにその径が大きな孔２３７Ａ、２３８Ａが穿たれており、それら孔２３７Ａ、２３８Ａをボルト２３３に貫かれている。板２３７と、板２３８が寝た状態となると、板２３７の孔２３７Ａの縁（より詳細には、縁の上方で且つ前方の部分、以下同じ。）と、板２３８の孔２３８Ａの縁（より詳細には、縁の上方で且つ前方の部分、以下同じ。）が、ボルト２３３の外周に切られたネジ溝に螺合する。ボルト２３３は、上述のように、その頭部２３３Ａ付近を、空回り可能な状態で、後側板２１３の第１切欠き２１３Ｂの上端と、支持板２３４の第２切欠き２３４Ａの下端が作る孔により支持されており、また、その先端が、空回りできるようにして、前側板２１２に接続されているから、回転は可能ではあるものの、前後方向には移動できないようになっている。したがって、板２３７と、板２３８が寝た状態で、ボルト２３３を軸周りに回転させると、その回転の方向にもよるが、板２３７の孔２３７Ａの縁と、板２３８の孔２３８Ａの縁がボルト２３３のネジ溝に螺合していることもあって、板２３７と、板２３８は前後に移動することになる。板２３７と、板２３８の下端は、上述のように、第１スリット２３１Ｃ１に嵌っているので、板２３７と板２３８が前後に移動するということは、底板２３１Ｃを有する位置決め部材２３１が前後に移動するということである。つまり、板２３７と板２３８が寝た状態でボルト２３３を回転させると、回転の方向に応じて位置決め部材２３１が前後に移動することになる。
なお、板２３７と板２３８はそのいずれかのみが存在していれば足りるが、この実施形態で板２３７と板２３８の双方を用いることとしているのは、板２３７と板２３８が寝た状態となったとき、板２３７の孔２３７Ａの縁と、板２３８の孔２３８Ａの縁という２つの縁があれば、ボルト２３３のネジ溝に少なくともそれらのいずれかが螺合すると考えられるからである。
【００２５】
なお、板２３７と板２３８が寝た状態にあるときに位置決め部材２３１に前後方向のいずれかに力がかかったとする。
位置決め部材２３１にかかった力が後ろ向きの力であり、位置決め部材２３１が後方に移動しようとすると、位置決め部材２３１の底板２３１Ｃに設けられた第１スリット２３１Ｃ１に嵌った板２３７と板２３８は、その下端が図６、７における左方向に移動しようとすることになるので（なお、図６では、板２３７の上端が前方板２３１Ａに接触しそうな状態で図示されているが、板２３７と前方板２３１Ａは本来多少離れているので、板２３７に前方板２３１Ａから立ち上がる向きの力が働くことはない。）、更に寝た状態になろうとする。そうすると、板２３７の孔２３７Ａの縁と、板２３８の孔２３８Ａの縁が、ボルト２３３の外周に切られたネジ溝に更に強く螺合するから、位置決め部材２３１が後方に移動することはない。
他方、位置決め部材２３１にかかった力が前向きの力であり、位置決め部材２３１が前方に移動しようとすると、位置決め部材２３１の底板２３１Ｃに設けられた第１スリット２３１Ｃ１に嵌った板２３７と板２３８は、その下端が図６、７における右方向に移動しようとすることになるので、立ち上がった状態になろうとする。そうすると、板２３７の孔２３７Ａの縁と、板２３８の孔２３８Ａの縁が、ボルト２３３の外周に切られたネジ溝に螺合する力が弱まるから、位置決め部材２３１はその力の程度にもよるが、前方に移動することもあり得る。
つまり、上述の板２３７、板２３８とボルト２３３による、特に、板２３７と、板２３８が寝ている場合における構成は、よく知られたラチェット機構と同様に、ボルトのような直線状の部材に沿った位置決め部材２３１の移動方向を、前方への移動は許容しつつも、後方への移動は許さないというように一方向に規制する機能とともに、ボルト２３３の回転により位置決め部材２３１を前後動させるというボルトとナットにより構成される良くある機能を併せて実現するものと言える。
【００２６】
他方、板２３７と、板２３８が立った状態となると、ボルト２３３の径よりも僅かに大径の孔２３７Ａと、孔２３８Ａの縁は、ボルト２３３と接触しなくなり、上述の螺合が解ける。
そうすると、位置決め部材２３１とボルト２３３の間で、両者の位置関係を固定する力は存在しなくなるので、位置決め部材２３１はボルト２３３の長さ方向に自由に移動できる状態となる。
この状態では、ボルト２３３を回転させても、孔２３７Ａと、孔２３８Ａの縁がボルト２３３と接触していないのであるから、当然に位置決め部材２３１は、前後方向に移動しない。
【００２７】
当接部材２３２は、既に述べたように、位置決め部材２３１に取付けられている。当接部材２３２は、パチスロ遊技機６００の背面に当接させられる当接面２３２Ａ１を有する当接部２３２Ａを備えている。当接部２３２Ａ及び当接面２３２Ａ１は横長である。これにより、パチスロ遊技機６００が水平方向で回転するのを防止している。
当接部材２３２は、また、当接部２３２Ａの背後に存在し、両横方向に伸びる板であるアーム２３２Ｂを備えている。アーム２３２Ｂには、後方板２３１Ｂの前側に曲折されている部分に設けられた上述のネジ孔２３１Ｂと対応する位置に、ネジ孔２３２Ａ２が設けられている。ネジ孔２３１Ｂとネジ孔２３２Ａ２をまとめて貫通させたネジ２３２Ａ３をネジ孔２３１Ｂ１に螺合させることにより、当接部材２３２は位置決め部材２３１に固定されている。
アーム２３２Ｂの下方には、孔２３２Ｃ１の開けられた２枚の板からなる、ガイド材２３２Ｃが設けられている。ガイド材２３２Ｃは、上述したガイド棒２２１にその孔２３２Ｃ１を貫通させられている。ガイド材２３２Ｃはガイド棒２２１に案内されつつ、ガイド棒２２１に沿って前後に移動することができる。その結果、当接部材２３２は、２本のガイド棒２２１によってその幅方向の両端を案内されるため、ボルト２３３との接続のみしかなされていない場合に比して、前後に移動するときの安定感が増されている。
【００２８】
また、位置決め部材２３１の下方には操作機構２４０が設けられている。操作機構２４０は、ボルト２３３と、板２３７及び板２３８の螺合による固定を解除し、位置決め部材２３１が前後方向に自由に動けるようにするためのものである。
操作機構２４０は、位置決め部材２３１の底板２３１Ｃに設けられた第２スリット２３１Ｃ２を貫通して上方に伸びる、板状の接触板２４１を備えている。
接触板２４１は、図６に示した下方の位置から、図７に示した上方の位置まで移動できるようになっている。接触板２４１が上方に持ち上がると、接触板２４１と板２３７及び板２３８は図７に示したように立った状態となり、板２３７及び板２３８とボルト２３３の螺合が解かれる。
操作機構２４０はまた、作業者が握れる程度の大きさとされたグリップ２４２を備えている。グリップ２４２には、レバー２４３が取付けられている。レバー２４３は、軸２４４によりグリップ２４２に対して回動自在に接続され、また軸２４５により、接触板２４１に対して回動自在に接続されている。軸２４５は、バネ２４６によりグリップ２４２に設けられた係止部２４７に接続されており、これによりレバー２４３は、その先端（図６、７におけるレバー２４３の右側端部）が下方に向く向きで、バネ２４６から常に付勢力を受けている。他方、レバー２４３はバネ２４６からの付勢力に抗して、その先端を上方に引き上げることができるようになっている。
レバー２４３を上方に引き上げると接触板２４１が上方に上がり、板２３７と板２３８を立たせた状態にする。作業者がレバー２４３から手を離すとレバー２４３及び接触板２４１はバネ２４６による付勢力により図６に示した元の位置に自然に戻るから、板２３７と板２３８は寝た状態となる。
【００２９】
次に、第１実施形態の位置決め装置２００の使用方法と動作について説明する。
まず、図１に示したようにして、位置決め装置２００を、設置台ユニット５００における下板５５０の後方に取付ける。なお、図１では、上板５６０の後方にも装置１００が取付けられている。この装置１００は、位置決め装置２００にて前後方向の位置決めを行なわれたパチスロ遊技機６００の上面を下方に向けて押さえつけることにより、パチスロ遊技機６００をそれと下板５５０との間で挟持することでパチスロ遊技機６００を設置台ユニット５００に固定するためのものである。もっとも、当該装置１００は、位置決め装置２００とは関係のないものであるので、その説明は、省略する。なお、位置決め装置２００を用いてパチスロ遊技機６００の位置決めを行う場合であっても、上述の如き装置１００を用いずに、従来通りの釘を用いる方法で、設置台ユニット５００にパチスロ遊技機６００を固定しても構わない。
【００３０】
位置決め装置２００を下板５５０に固定するには、本体２１０の前側板２１２を、下板５５０の後面に当接させ、固定部２１２Ａに設けられたネジ孔２１２Ｂを貫通させた図示を省略のネジを、下板５５０に対して、水平に、前向きに打込む。前側板２１２の高さは下板５５０の厚さとして想定されるもっとも薄い厚さ以下とされているので、ネジ孔２１２Ｂを前側板２１２の後面に当接させられないということはない。
また、位置決め装置２００を下板５５０に固定する場合には、上側板２１１の上側の面２１１Ａが下板５５０の上面の後方の延長上に略来るようにする。ただし、上側板２１１の上側の面２１１Ａが下板５５０の上面よりも僅かでも高いと、後述のように下板５５０の上面から上側板２１１の上側の面２１１Ａにかけてパチスロ遊技機６００を滑らせる場合における、下板５５０の上面から上側板２１１の上面にパチスロ遊技機６００が進入するときに、パチスロ遊技機６００が上側板２１１の前端部に引っ掛かるおそれがある。そのような事態を避けるためには、位置決め装置２００を下板５００に取付ける場合には、意図的に、上側板２１１の上側の面２１１Ａが下板５５０の上面よりもほんの僅か、例えば０．５ｍｍ程度下に位置するようにするのが良い。
【００３１】
この状態で、位置決め装置２００は、使用可能となる。
位置決め装置２００を用いてパチスロ遊技機６００の前後方向を位置決めするには、まず、位置決め機構２３０における位置決め部材２３１の位置を適切に位置決めすることにより、当接部材２３２の当接面２３２Ａ１の前後方向の位置を適切に位置決めする。
当接面２３２Ａ１の位置が適切であるか否かは、目盛２１１Ｄを用いて確認できる。
【００３２】
位置決め部材２３１の前後位置の調整は、必ずしも以下のように行う必要はないが、以下のように行うと便利である。位置決め部材２３１の前後位置の調整は、この実施形態では、粗調整と、微調整を順に行うことにより行う。
位置決め部材２３１の前後位置の粗調整を行う場合には、以下のように操作機構２４０の操作を行う。まず、操作機構２４０に含まれているレバー２４３を上方に引き上げる。レバー２４３を上方に引き上げると接触板２４１が上方に上がり、板２３７と板２３８が立った状態になる。板２３７と、板２３８が立った状態となると、ボルト２３３の径よりも僅かに大径の孔２３７Ａと、孔２３８Ａの縁は、ボルト２３３と接触しなくなり、ボルト２３３と、板２３７の孔２３７Ａの縁の螺合と、板２３８の孔２３８Ａの螺合が解ける。そうすると、位置決め部材２３１とボルト２３３の間で、両者の位置関係を固定する力は存在しなくなるので、位置決め部材２３１はボルト２３３の長さ方向に自由に移動できる状態となる。作業者は、上方に引き上げたままレバー２４３を前後に動かすことにより、位置決め部材２３１を大きく前後に移動させる。位置決め部材２３１と固定されている当接部材２３２の当接面２３２Ａ１の前後方向の位置が大凡適当となったら、作業者はレバー２４３を離す。なお、作業者は、レバー２４３を上方に引き上げる代わりに、板２３７の上端に指をかけ、板２３７を後方に倒すことにより、板２３７を立たせることも可能である。これを行い易くするのであれば、板２３７の先端をもう少し後方に反るように曲折させておいたり、或いは板２３７の先端に、作業者が摘み易い部材を取付けておけば良い。
作業者がレバー２４３から手を離すとレバー２４３及び接触板２４１はバネ２４６による付勢力により図６に示した元の位置に自然に戻るから、板２３７と板２３８は寝た状態となる。板２３７と、板２３８が寝た状態になると、それらに穿たれた孔２３７Ａと孔２３８Ａの縁が、ボルト２３３の外周に切られたネジ溝に螺合する。作業者は、必要があれば、ボルト２３３の頭部２３３Ａを摘んで適当な方向に回転させることにより、板２３７と、板２３８を前後させる。板２３７と、板２３８の下端は、上述のように、第１スリット２３１Ｃ１に嵌っているので、板２３７と板２３８が前後に移動すれば、位置決め部材２３１も前後に移動ることになり、また位置決め部材２３１が前後に移動すれば、それと固定された当接部材２３２の当接面２３２Ａ１も前後方向に移動する。かかる当接面２３２Ａ１の移動は、ボルト２３３に切られたネジ溝のピッチにもよるが、ボルト２３３の回転量に比してそれほど大きなものではない。したがって、本願ではかかる当接面２３２Ａ１の位置の調整を、微調整と呼んでいる。
以上のようにして、当接面２３２Ａ１の前後方向での位置の調整を行ったら、次に、パチスロ遊技機６００の位置合わせを行う。
【００３３】
パチスロ遊技機６００の位置合わせを行う場合、まず、パチスロ遊技機６００を下板５５０の上に載せる。パチスロ遊技機６００はまず下板５５０の前よりに載せられる。
次に、パチスロ遊技機６００を後方に押す。パチスロ遊技機６００の後端は、下板５５５０から食み出、その一部は上側板２１１の上側の面２１１Ａの上を、上側面２１１Ａに下から支持されながら滑っていく。
そして、パチスロ遊技機６００の背面が、位置決め装置２００の位置決め機構２３０の当接面２３２Ａ１に突き当たる。これにより、パチスロ遊技機６００の前後方向の位置は、適切に位置決めできたことになる。
パチスロ遊技機６００が多少強く当接面２３２Ａ１に当たっても、当接面２３２Ａ１が後ろに下がってパチスロ遊技機６００の前後方向の位置がずれることはない。位置決め部材２３１に後ろ向きの力がはたらき、位置決め部材２３１が後方に移動しようとすると、位置決め部材２３１の底板２３１Ｃに設けられた第１スリット２３１Ｃ１に嵌った板２３７と板２３８は、その下端が図６、７における左方向に移動しようとすることになるので、更に寝た状態になろうとする。そうすると、板２３７の孔２３７Ａの縁と、板２３８の孔２３８Ａの縁が、ボルト２３３の外周に切られたネジ溝に更に強く螺合するからである。
なお、パチスロ遊技機６００が設置台ユニット５００に固定された後においてパチスロ遊技機６００が遊技者に使用されているときに、遊技者がパチスロ遊技機６００に後方に働く力を加えることもあり得る。しかしながら、そのような場合であっても、パチスロ遊技機６００は上述の理由により後方に移動することはない。
他方、板２３７と、板２３８が寝た状態であるときに、位置決め部材２３１に前向きの力が働き、位置決め部材２３１が前方に移動しようとした場合には、位置決め部材２３１の底板２３１Ｃに設けられた第１スリット２３１Ｃ１に嵌った板２３７と板２３８は、その下端が図６、７における右方向に移動しようとすることになるので、立ち上がった状態になろうとする。そうすると、板２３７の孔２３７Ａの縁と、板２３８の孔２３８Ａの縁が、ボルト２３３の外周に切られたネジ溝に螺合する力が弱まるから、位置決め部材２３１はその力の程度にもよるが、前方に移動する。しかしながら、パチスロ遊技機６００の位置決めの際に、或いはその後に、パチスロ遊技機６００に前向きの力が働くことはパチスロ遊技機６００が通常の使用方法で使用されている限りは想定できないので、この点が不利を招くことはない。
【００３４】
パチスロ遊技機６００の位置決めの方法は以上の通りであるが、以上のように位置決めされたパチスロ遊技機６００は、上述の装置１００を使って、或いは装置１００を使わずに釘を使って、設置台ユニット５００に固定される。
【００３５】
パチスロ遊技機６００の入れ替えの際には、古いパチスロ遊技機６００は、設置台ユニット５００から取外され、新しいパチスロ遊技機６００が設置台ユニット５００に固定される。その際、位置決め装置２００は使いまわせる。例えば、古いパチスロ遊技機６００と新しいパチスロ遊技機６００の寸法が同じであれば、位置決め機構２３０の操作すら不要である。
位置決め機構２３０の操作を行うにしても、入れ替えの対象となる古いパチスロ遊技機６００と新しいパチスロ遊技機６００が共通である位置決め装置２００においては、行うべき当接面２３２Ａ１の前後方向の移動量が同じであるので、作業は極めて簡単で効率的なものとなる。
【００３６】
なお、位置決め装置２００は、パチスロ遊技機６００の取付けに先立ってのパチスロ遊技機６００の前後方向における位置決めよりも、場合によっては、設置台ユニット５００に取付けられて実際に使用されているパチスロ遊技機６００の後方への移動の防止を主目的として用いられる場合もある。
そして、上述の位置決め装置は、既にその目的を達成している。ただし、上述の目的を達成が主なのであれば、位置決め装置２００は、予めその位置決め部材２３１ないし、当接面２３２Ａ１の位置決めをすることなく、例えば目視で適当な位置まで後方に予め押し込まれたパチスロ遊技機６００の背面に、当接面２３２Ａ１を後から押し当てるという用い方を行えば良い。
【００３７】
≪第２実施形態≫
第２実施形態の位置決め装置２０１の斜視図を、図９に、平面図を、図１０に、分解斜視図を、図１１にそれぞれ示す。
第２実施形態の位置決め装置２０１の構成は、第１実施形態の位置決め装置２００と殆ど同じである。
両者で異なるのは、第２実施形態の位置決め装置２０１は、第１実施形態の位置決め装置２００が有していた当接部材２３２を持たないということである。当接部材２３２が存在しないため、この位置決め装置２０１では、位置決め部材２３１の前方板２３１Ａの前側の面を、第１実施形態でいう当接面２３２Ａ１として機能させることとしている。
また、第２実施形態の位置決め装置２０１は、当接部材２３２を持たないため、それを安定して案内するために必要だった、ガイド部材２２０、ガイド部材２２０を機能させるために必要だった細開口２１１Ｃも持たない。
第２実施形態の位置決め装置２０１の使い方は、第１実施形態の位置決め装置２００と同じである。ただし、第２実施形態の位置決め装置２０１の当接面２３２Ａ１は第１実施形態の場合よりも小さいので、第２実施形態における位置決め装置２０１は、下板５５０の後方に、適当な距離だけ左右に離して、２つ以上取付けた方が良い。
【００３８】
≪第３実施形態≫
第３実施形態の位置決め装置２０２の斜視図を、図１２に、平面図を、図１３に、分解斜視図を、図１４にそれぞれ示す。
第３実施形態の位置決め装置２０２の構成は、第２実施形態の位置決め装置２０１を若干変形させたものとなっている。
簡単に言うと、第３実施形態の位置決め装置２０２は、２つ横並びにした第２実施形態の位置決め装置２０１を、それらの本体２１０の上側板２１１を一連にして一つにまとめたものであると言える。第３実施形態の位置決め装置２０２では、一つの本体２１０に２つの位置決め機構２３０が設けられている。
第３実施形態の位置決め装置２０２の使い方は、第２実施形態の位置決め装置２０１と同じである。ただし、第３実施形態の位置決め装置２０２は、予め２つの当接面２３２Ａ１を備えているため、第２実施形態の位置決め装置２０１のように、下板５５０の後方に２つ以上取付けるには及ばない。
なお、第３実施形態の位置決め装置２０２は、２つの位置決め機構２３０を独立して操作することができる。したがって、２つの位置決め機構２３０における位置決め部材２３１は、その前後方向における位置を異ならせることも可能である。
【符号の説明】
【００３９】
１００  装置
２００  位置決め装置
２０１  位置決め装置
２０２  位置決め装置
２１０  本体
２１１  上側板
２１１Ａ  上側の面
２１１Ｂ  開口
２１１Ｃ  細開口
２１１Ｄ  目盛
２１２  前側板
２１２Ａ  固定部
２１２Ｂ  ネジ孔
２１２Ｃ  孔
２１３  後側板
２１３Ａ  孔
２１３Ｂ  第１切欠き
２２０  ガイド部材
２２１  ガイド棒
２２２  固定用板
２２２Ａ  孔
２３０  位置決め機構
２３１  位置決め部材
２３１Ａ  前方板
２３１Ａ２  孔
２３１Ｂ  後方板
２３１Ｂ１  ネジ孔
２３１Ｂ２  孔
２３１Ｃ  底板
２３１Ｃ１  第１スリット
２３１Ｃ２  第２スリット
２３２  当接部材
２３２Ａ  当接部
２３２Ａ１  当接面
２３２Ａ２  ネジ孔
２３２Ｂ  アーム
２３２Ｃ  ガイド材
２３２Ｃ１  孔
２３３  ボルト
２３３Ａ  頭部
２３４  支持板
２３４Ａ  第２切欠き
２３４Ｂ  孔
２３４Ｃ  ネジ
２３５  板
２３５Ａ  穴
２３７  板
２３８  板
２３９  バネ
２４０  操作機構
２４１  接触板
２４２  グリップ
２４３  レバー
２４６  バネ
５００  設置台ユニット
５５０  下板
５６０  上板
６００  パチスロ遊技機
【図１】
2015173925.tif 000003
【図２】
2015173925.tif 000004
【図３】
2015173925.tif 000005
【図４】
2015173925.tif 000006
【図５】
2015173925.tif 000007
【図６】
2015173925.tif 000008
【図７】
2015173925.tif 000009
【図８】
2015173925.tif 000010
【図９】
2015173925.tif 000011
【図１０】
2015173925.tif 000012
【図１１】
2015173925.tif 000013
【図１２】
2015173925.tif 000014
【図１３】
2015173925.tif 000015
【図１４】
2015173925.tif 000016